(57)【要約】  【課題】効率的に精度よく安全にシーリングバックアップ材を所定の幅寸法に切断することができるシーリングバックアップ材の幅方向切断加工治具を提供することを課題とする。【解決手段】シーリングバックアップ材１２を送り出す切断水平面２にシーリングバックアップ材１２を切断する刃３が設けられ、切断水平面２には、切断基準線６と切断基準線６に対し基準線から任意の逃げ幅を設定するカット寸法調整機構４が設けられ、カット寸法調整機構４を調整することで所定の幅寸法にシーリングバックアップ材１２を切断することができるシーリングバックアップ材の幅方向切断加工治具１によって解決される。【選択図】    図１
2008297714.tif 000002
【特許請求の範囲】
【請求項１】
シーリングバックアップ材を送り出す切断水平面にシーリングバックアップ材を切断する刃が設けられ、前記切断水平面には、切断基準線と切断基準線に対し基準線から任意の逃げ幅を設定するカット寸法調整機構が設けられたことを特徴とするシーリングバックアップ材の幅方向切断加工治具。
【請求項２】
前記刃が切断水平面に対し２５〜３５度の角度で設けられている請求項１に記載のシーリングバックアップ材の幅方向切断加工治具。
【請求項３】
長尺部材を送り出す切断水平面に長尺部材を切断する刃が設けられ、前記切断水平面には、切断基準線と切断基準線に対し基準線から任意の逃げ幅を設定するカット寸法調整機構が設けられたことを特徴とする長尺部材の幅方向切断加工治具。
【発明の詳細な説明】
【技術分野】
【０００１】
本発明は、シーリングバックアップ材の幅方向切断加工治具に関する。
【背景技術】
【０００２】
建物の目地部にシーリング材を充填するシーリング工法では、目地部にシーリング材を充填する前に、シーリング材充填深さの調整や三面接着の防止を目的として、目地底に例えば発泡ウレタンからなるシーリングバックアップ材が挿入される。
【０００３】
【特許文献１】特開平７−５４４１４号公報
【発明の開示】
【発明が解決しようとする課題】
【０００４】
しかし、シーリングバックアップ材を挿入する目地幅は設計寸法の違いや誤差などからばらつきがあり、全ての目地幅に対応させて幅寸法の異なるシーリングバックアップ材を準備しておくことは在庫の管理やコストの面からも現実的ではない。
【０００５】
そのため、数種類の幅寸法のシーリングバックアップ材を準備しておき、シーリング施工を行う現場で目地幅に合わせてシーリングバックアップ材の幅方向を必要な幅に調整する切断加工を行っている。
【０００６】
シーリングバックアップ材は幅寸法が１０〜１５ｍｍ程度に対し、長さが１０００ｍｍ程度の長尺物であり、全長を通じて幅方向を所定の寸法に調整する切断作業を行うことは非常に面倒であり時間がかかり品質にばらつきが生じるほか、刃物で作業者が怪我をする危険作業であるという問題がある。
【０００７】
本発明は、以上のような問題点に鑑み、効率的に精度よく安全にシーリングバックアップ材を所定の幅寸法に切断することができるシーリングバックアップ材の幅方向切断加工治具を提供することを課題とする。
【課題を解決するための手段】
【０００８】
上記の課題は、シーリングバックアップ材を送り出す切断水平面にシーリングバックアップ材を切断する刃が設けられ、前記切断水平面には、切断基準線と切断基準線に対し基準線から任意の逃げ幅を設定するカット寸法調整機構が設けられたことを特徴とするシーリングバックアップ材の幅方向切断加工治具により解決される。
【０００９】
本シーリングバックアップ材の幅方向切断加工治具では、シーリングバックアップ材を送り出す切断水平面にシーリングバックアップ材を切断する刃が設けられているため、本治具に従い、シーリングバックアップ材を送り出すだけで、シーリングバックアップ材が所定の幅寸法に切断でき、効率的に精度よく切断できるだけでなく、シーリングバックアップ材を手で押さえながらカッターナイフで切断するのとは異なり、安全に作業をすることができる。
【００１０】
また、本シーリングバックアップ材の幅方向切断加工治具の切断水平面には、切断基準線と切断基準線に対し基準線から任意の逃げ幅を設定するカット寸法調整機構が設けられているため、カット寸法調整機構を調節することによって異なる幅寸法のシーリングバックアップ材を所定の幅寸法に切断することができ、必要な幅寸法のシーリングバックアップ材を準備することができる。
【００１１】
本シーリングバックアップ材の幅方向切断加工治具において、刃が切断水平部に対し２５〜３５度の角度で設けられているとよい。
【００１２】
刃が切断水平面に対し２５〜３５度の角度で設けられていることで、シーリングバックアップ材の切断時において、刃がシーリングバックアップ材に効果的な角度で切り込まれ、刃がぶれることなく精度よくシーリングバックアップ材を切断することができる。
【００１３】
また、長尺部材を送り出す切断水平面に長尺部材を切断する刃が設けられ、前記切断水平面には、切断基準線と切断基準線に対し基準線から任意の逃げ幅を設定するカット寸法調整機構が設けられたことを特徴とする長尺部材の幅方向切断加工治具によっても解決される。
【００１４】
本長尺部材の幅方向切断加工治具であれば、シーリングバックアップ材に限らず、長尺部材を所定の幅寸法に切断でき、効率的に精度よく切断できる。
【発明の効果】
【００１５】
本発明は以上のとおりであるから、効率的に精度よく安全にシーリングバックアップ材を所定の幅寸法に切断することができるシーリングバックアップ材の幅方向切断加工治具を提供することができる。
【発明を実施するための最良の形態】
【００１６】
次に、本発明の実施最良形態を図面に基づいて説明する。
【００１７】
図１乃至図３に示す本発明の実施形態であるシーリングバックアップ材の幅方向切断加工治具１において、２は水平切断面、３は刃、４はカット寸法調整機構である。
【００１８】
切断加工治具１は、水平切断面２と刃３を保持する斜面５を有する函体からなり、斜面５は水平切断面２に対しておよそ３０度の傾斜をつけて設けられている。水平切断面２上には、切断基準線６がマーキングされるとともに、切断基準線６と平行に１０ｍｍ間隔で補助線７，７，７，７がマーキングされている。また、切断基準線６からの距離を読み取るための目盛り８，８が切断水平面２上に間隔を空けて２ヶ所設けられている。
【００１９】
切断加工治具１のカット寸法調整機構４は、切断加工治具１の水平切断面２上に設けられ、図１、２に示すように、切断基準線６と平行に配置される１対のアングル型の支持金物９，９と支持金物９，９を切断基準線６に対して垂直方向に任意に移動させる位置調整レール１０，１０からなる。位置調整レール１０，１０は断面溝型の棒材からなり、切断加工治具１の水平切断面２内に埋設される。１対の支持金物９，９は水平切断面２内に切断基準線６と垂直の向きに埋設された２本の位置調整レール１０，１０にそれぞれボルト１１，１１，１１，１１で固定され、ボルトを緩めることにより、支持金物９，９は位置調整レール１０，１０上を自由に移動し、ボルト１１，１１，１１，１１を固定することにより、指示金物９，９は位置調整レール１０，１０上の任意の位置で固定することができる。
【００２０】
シーリングバックアップ材を切断する刃３は、切断加工治具１の斜面５に固定され、水平切断面２とは、斜面５と同じくおよそ３０度の角度で固定される。なお本実施例では、刃３として切断加工治具１にカッターナイフを取り付けている。
【００２１】
シーリングバックアップ材１２の切断は次のようにして行う。必要とするシーリングバックアップ材の幅寸法に、切断加工治具１のカット寸法調整機構４を調節する。調節は、支持金物９，９を固定しているボルト１１，１１，１１，１１を緩め、支持金物９，９を位置調整レール１０，１０上を移動させる。切断基準線６からどちらか一方の支持金物９までの距離が必要なシーリングバックアップ材の幅寸法となるように支持金物９を調節するとともに、調節した支持金物９ともう一方の指示金物までの間隔を切断加工するシーリングバックアップ材１２の幅寸法と一致するように調節する。なお、指示金物９，９は切断基準線６と平行になるように調整することが必要であり、目盛り８，８および補助線７，７，７，７を目印として調整する。
【００２２】
図４に示すように、シーリングバックアップ材１２をその平面部を水平切断面２上に押しつけるようにしながら、支持金物９，９間をすべらすように、一方の側から刃３のほうへ移動させながら、シーリングバックアップ材１２を切断する。
【００２３】
切断加工治具１は、シーリングバックアップ材１２を送り出す切断水平面２にシーリングバックアップ材１２を切断する刃３が設けられているため、本治具に従い、シーリングバックアップ材１２を送り出すだけで、シーリングバックアップ材１２が所定の幅寸法に切断でき、効率的に精度よく切断できるだけでなく、シーリングバックアップ材１２を手で押さえながらカッターナイフで切断するのとは異なり、安全に作業をすることができる。
【００２４】
また、切断加工治具１の切断水平面２には、切断基準線６と切断基準線に対し基準線から任意の逃げ幅を設定するカット寸法調整機構４が設けられているため、カット寸法調整機構を調節することによって異なる幅寸法のシーリングバックアップ材を所定の幅寸法に切断することができ、必要な幅寸法のシーリングバックアップ材を準備することができる。
【００２５】
さらに、刃３が切断水平面２に対しおよそ３０度の角度で設けられていることで、シーリングバックアップ材１２の切断時において、刃３がシーリングバックアップ材１２に効果的な角度で切り込まれ、刃３がぶれることなく精度よく切断していくことができる。
【００２６】
また、切断加工治具１の刃を覆う防護カバーが取り付けられていてもよい。図５に示すように、カット寸法調整機構４を構成するアングル型の支持金物９の一方に防護カバー１３が刃３側に傾斜して固定されている。
【００２７】
防護カバー１３によって、シーリングバックカップ材１２を刃３のほうへ移動させながら、シーリングバックアップ材１２を切断する際、誤って刃３で手を切ってしまうこともない。また、防護カバー１３が刃３側に傾斜して固定されているため、傾斜を利用してシーリングバックアップ材１２の刃３への導入および移動を容易に行うことができる。
【００２８】
以上に、本発明の実施形態を示したが、本発明はこれに限られるものではなく、発明思想を逸脱しない範囲で各種の変更が可能である。例えば上記の実施形態では、切断加工治具は函体からなる場合について示したが、本形態に限られるわけではなく、盤状であってもよいし、形態に制限はない。
【００２９】
また、上記の実施形態では、カット寸法調整機構の支持金物９を２個用い、シーリングバックアップ材１２の幅にあわせて２個ともを刃３と平行に設置する場合について示したが、支持金物９のどちらか一方を刃３と平行に設置し、もう一方を刃３側に幅が狭くなるように刃３に対し傾斜をつけるように設置してもよい。
シーリングバックアップ材１２の導入部分で支持金物の間隔が開いているので、シーリングバックアップ材１２を容易に導入させていくことができる。
【００３０】
また、上記の実施形態では、カット寸法調整機構の支持金物９が２個用いる場合について示したが、１個であってもよい。また、カット寸法調整機構について位置調整レールである場合について示したが、その他の方法であってもよいのはいうまでもない。
【００３１】
また、本実施例では、刃３として切断加工治具１にカッターナイフを取り付けている場合について示したが、カッターナイフ以外の刃であってもよいのはいうまでもない。
【００３２】
また、本発明はシーリングバックアップ材に限らず、長尺部材を所定の幅寸法に切断に用いられてよいのはいうまでもない。
【図面の簡単な説明】
【００３３】
【図１】実施形態の切断加工治具を示す斜視図である。
【図２】同切断加工治具を示す斜視図である。
【図３】同切断加工治具のカット寸法調整機構を示す要部拡大正面図である。
【図４】同切断加工治具の使用状況を示す斜視図である。
【図５】刃を覆う防護カバーが取り付けられた実施形態の切断加工治具を示す斜視図である。
【符号の説明】
【００３４】
１・・・（シーリングバックアップ材の幅方向）切断加工治具
２・・・切断水平面
３・・・刃
４・・・カット寸法調整機構
６・・・切断基準線
１２・・・シーリングバックアップ材
【図１】
2008297714.tif 000003
【図２】
2008297714.tif 000004
【図３】
2008297714.tif 000005
【図４】
2008297714.tif 000006
【図５】
2008297714.tif 000007